(57)【要約】【課題】簡単な操作で映像信号出力装置の映像フォーマットが自動的に接続先のシンク装置のフォーマットに合うようにして映像、音声の再生が行なえるようにする。【解決手段】リモコン送信機２、本体操作部３９１の所定のキー操作によってフォーマット選択を指令し、コントローラ３５の出力フォーマット切り替え手段により前記フォーマット選択の終了が指令されて前記フォーマット選択が解除されるまで、出力フォーマットに選択してＨＤＭＩ端子部３１から出力される映像信号の映像フォーマットを自動的に切り替え、リモコン送信機２、本体操作部３９１のフォーマット選択中の決定操作に基づき、コントローラ３５の出力フォーマット設定手段により選択中の映像フォーマットに設定して出力映像信号の映像を映像表示装置４に画面表示できるようにする。【選択図】図１
2008058369.tif 000002
【特許請求の範囲】
【請求項１】
複数種類の映像フォーマットから選択して設定された映像フォーマットの映像信号を、出力端子部から出力する映像信号出力装置において、所定のキー操作によって出力フォーマット選択を指令し、前記出力フォーマット選択中の決定操作により前記出力端子部から出力する映像信号の映像フォーマットの設定及び前記フォーマット選択の終了を指令する操作手段と、前記出力フォーマット選択の指令に基づき、前記出力フォーマット選択の終了が指令されて前記出力フォーマット選択が解除されるまで前記出力端子部から出力する映像信号の映像フォーマットを、前記複数種類の映像フォーマットから順に選択したフォーマットに切り替える出力フォーマット切り替え手段と、前記出力フォーマット選択中の出力フォーマット設定の指令により選択中の映像フォーマットを前記出力端子部から出力する映像信号の映像フォーマットに設定する出力フォーマット設定手段とを備えたことを特徴とする映像信号出力装置。
【請求項２】
前記出力端子部は、デジタルインタフェースの出力端子部であることを特徴とする請求項１に記載の映像信号出力装置。
【請求項３】
複数種類の音声フォーマットから選択して設定された音声フォーマットの音声信号を、出力端子部から出力する音声信号出力装置において、所定のキー操作によって出力フォーマット選択を指令し、前記出力フォーマット選択中の決定操作により前記出力端子部から出力する音声信号の出力フォーマット設定及び前記フォーマット選択の終了を指令する操作手段と、前記出力フォーマット選択の指令に基づき、前記出力フォーマット選択の終了が指令されて前記出力フォーマット選択が解除されるまで前記出力端子部から出力する音声信号の音声フォーマットを、前記複数種類のフォーマットから順に選択したフォーマットに切り替える出力フォーマット切り替え手段と、前記出力フォーマット選択中の出力フォーマット設定の指令により選択中の音声フォーマットを前記出力端子部から出力する音声信号の音声フォーマットに設定する出力フォーマット設定手段とを備えたことを特徴とする音声信号出力装置。
【請求項４】
前記出力端子部は、デジタルインタフェースの出力端子部であることを特徴とする請求項３に記載の音声信号出力装置。
【発明の詳細な説明】
【技術分野】
【０００１】
本発明は、複数種類の映像フォーマットから選択して設定された映像フォーマットの映像信号を、出力端子部から出力する映像信号出力装置及び複数種類の音声フォーマットから選択して設定された音声フォーマットの音声信号を、出力端子部から出力する音声信号出力装置に関する。
【背景技術】
【０００２】
従来、ＤＶＤプレーヤ等の映像再生装置、ＣＤプレーヤ等の音声再生装置や、ＤＶＤレコーダ、ＨＤＤレコーダ、デジタルビデオテープレコーダ等の映像信号出力装置、ＣＤレコーダ等の音声記録再生装置には、デジタルインタフェースの出力端子部であるＨＤＭＩ端子部を備え、設定された複数の映像フォーマット、音声フォーマットから選択して設定されたフォーマットでデジタルの映像信号、音声信号を出力するものがある。尚、前記複数の映像フォーマットとしては、例えば、アスペクト比（解像度）及び走査方式が異なる４８０ｐ、７２０ｐ、１０８０ｉのフォーマットがあり、前記複数の音声フォーマットとしてはＤｏｌｂｙ  Ｄｉｇｉｔａｌ（登録商標）、ＤＴＳ（登録商標）等のフォーマットがある。
【０００３】
ところで、上述の映像再生装置、映像記録再生装置のような映像信号出力装置、音声再生装置、音声記録再生装置のような音声信号出力装置をソース（Ｓｏｕｒｃｅ）装置とし、それらの出力端子部をテレビ受信装置のようなシンク（Ｓｉｎｋ）装置の入力端子部にケーブル接続して映像の画面表示や音声のスピーカ出力を行なう場合、ソース装置の映像、音声フォーマットと、シンク装置の対応入力のフォーマット（又は設定フォーマット）を合わせる必要があり、一致していなければ、画面表示やスピーカ出力が行なえなくなる。
【０００４】
しかしながら、設置時等や新たな媒体の映像や音声を再生等する場合には、ソース装置の映像、音声フォーマットと、シンク装置の対応入力のフォーマット（又は設定フォーマット）が合っていないことがある。
【０００５】
このような事態が発生すると、専門的な知識のない一般のユーザーはどのように対処すればよいのか分からず、装置の故障と勘違いしたりする。
【０００６】
そこで、ソース装置によってシンク装置の映像フォーマットの情報を読み取り、ソース装置にその結果として対応可能なフォーマットの選択画面を表示し、この選択画面からユーザが最も適したフォーマットを選択し、ソース装置の映像フォーマットにシンク装置の対応入力のフォーマットを合わせることが提案されている（例えば、特許文献１参照。）。
【特許文献１】特開２００５−１６７８９５号公報（段落［００１２］−［００３９］、図１等）
【発明の開示】
【発明が解決しようとする課題】
【０００７】
前記特許文献１に記載のように画面に表示されたフォーマットから最適な映像、音声フォーマットを選択することは、専門的な知識のない一般のユーザにとっては容易ではない。しかも、フォーマットの不一致で画面表示が全く行えないような場合には、対応することができない。
【０００８】
本発明は、この種の映像信号出力装置、音声信号出力装置において、簡単な操作でそれらの装置の映像フォーマット、音声フォーマットが自動的に接続先のシンク装置のフォーマットに合うようにして映像、音声の再生が行なえるようにすることを目的とする。
【課題を解決するための手段】
【０００９】
上記の目的を達成するために、本発明の映像信号出力装置は、複数種類の映像フォーマットから選択して設定された映像フォーマットの映像信号を、出力端子部から出力する映像信号出力装置において、所定のキー操作によって出力フォーマット選択を指令し、前記出力フォーマット選択中の決定操作により前記出力端子部から出力する映像信号の映像フォーマットの設定及び前記フォーマット選択の終了を指令する操作手段と、前記出力フォーマット選択の指令に基づき、前記出力フォーマット選択の終了が指令されて前記出力フォーマット選択が解除されるまで前記出力端子部から出力する映像信号の映像フォーマットを、前記複数種類の映像フォーマットから順に選択したフォーマットに切り替える出力フォーマット切り替え手段と、前記出力フォーマット選択中の出力フォーマット設定の指令により選択中の映像フォーマットを前記出力端子部から出力する映像信号の映像フォーマットに設定する出力フォーマット設定手段とを備えたことを特徴とする（請求項１）。
【００１０】
そして、前記出力端子部は、デジタルインタフェースの出力端子部であることが実用的で好ましい（請求項２）。
【００１１】
又、本発明の音声信号出力装置は、複数種類の音声フォーマットから選択して設定された音声フォーマットの音声信号を、出力端子部から出力する音声信号出力装置において、所定のキー操作によって出力フォーマット選択を指令し、前記出力フォーマット選択中の決定操作により前記出力端子部から出力する音声信号の映像フォーマットの設定及び前記フォーマット選択の終了を指令する操作手段と、前記出力フォーマット選択の指令に基づき、前記出力フォーマット選択の終了が指令されて前記出力フォーマット選択が解除されるまで前記出力端子部から出力する音声信号の音声フォーマットを、前記複数種類の音声フォーマットから順に選択したフォーマットに切り替える出力フォーマット切り替え手段と、前記出力フォーマット選択中の出力フォーマット設定の指令により選択中の音声フォーマットを前記出力端子部から出力する音声信号の音声フォーマットに設定する出力フォーマット設定手段とを備えたことを特徴としている（請求項３）。
【００１２】
そして、前記出力端子部は、デジタルインタフェースの出力端子部であることが実用的で好ましい（請求項４）。
【発明の効果】
【００１３】
請求項１、３の発明によれば、出力端子部を接続先のシンク装置の映像入力端子部にケーブル接続した状態でユーザーが操作手段の所定のキー操作によって出力フォーマット選択を指令すると、出力フォーマット切り替え手段が自動的に出力端子部から出力する映像信号の映像フォーマット、音声信号の音声フォーマットを順次に切り替える。
【００１４】
そして、この切り替えにより、映像信号出力装置の映像フォーマット、音声信号出力装置の音声信号フォーマットが、シンク装置のそれらのフォーマットに合った状態になると、シンク装置において映像の画面表示、音声のスピーカ出力が行なわれる。
【００１５】
そこで、ユーザーが、それらの画面表示、スピーカ出力を確認して操作手段によって決定操作を行ない、出力フォーマット設定及びフォーマット選択の終了を指令すると、出力フォーマット設定手段がそのときの映像、音声フォーマットに設定してフォーマット選択を終了し、出力する映像信号、音声信号のフォーマットを固定する。
【００１６】
したがって、簡単な操作でそれらの装置の映像フォーマット、音声フォーマットを自動的に接続先のシンク装置のフォーマットに合わせて映像、音声の再生が行なえるようにすることができ、専門的な知識のない一般のユーザーが装置の故障と勘違いしたりすることもない。
【００１７】
又、請求項２、４の発明によれば、出力端子部を上述のＨＤＭＩ端子部のようなデジタルインタフェースの出力端子部にした実用的な構成によって請求項１、３の発明と同様の効果を奏することができる。
【発明を実施するための最良の形態】
【００１８】
次に、本発明をより詳細に説明するため、その一実施形態について、図１及び図２にしたがって詳述する。
【００１９】
図１は本発明の映像信号出力装置の一例としてのＤＶＤプレーヤ１の構成を示すブロック図、図２はその映像出力設定の動作説明用のフローチャートである。
【００２０】
（構成）
図１に示すように、ＤＶＤプレーヤ１は携帯型のリモコン送信機２と本体装置３とによって形成される。
【００２１】
そして、リモコン送信機２は周知の赤外線リモコン送信機と同様に構成され、本発明の操作手段を形成する。すなわち、リモコン送信機２は複数の通常操作キー２１と共に、本体装置３の映像フォーマットを設定するフォーマット設定キー２２を備え、フォーマット設定キー２２の操作（所定のキー操作）によってフォーマット選択の指令を本体装置３に赤外線で無線送信し、フォーマット選択中のフォーマット設定キー２２の再度の操作（決定操作）によって出力フォーマット設定及びフォーマット選択の終了の指令を本体装置３に赤外線で無線送信する。
【００２２】
一方、本体装置３は、出力端子部として、デジタルインタフェースの出力端子部であるＨＤＭＩ端子部３１を備える。
【００２３】
そして、ＨＤＭＩ端子部３１はＤＶＤプレーヤ１の設置時等にシンク装置である映像受信装置（テレビ）等の映像表示装置４のＨＤＭＩ端子部４１にケーブル接続される。
【００２４】
次に、本体装置３の内部において、３２はＤＶＤを再生するＤＶＤドライバ、３３はＤＶＤドライバ３２の再生ＲＦ信号からＭＰＥＧフォーマットの映像情報、音声情報を復号するＭＰＥＧデコーダ、３４はＭＰＥＧデコーダ３３の後段のビデオエンコーダであり、出力フォーマットの設定に基づくコントローラ３５の制御により、前記映像情報を映像信号（ビデオ信号）に変換する。３６は画素変換用のスケーラ、３７はＨＤＭＩ出力部であり、コントローラ３５のフォーマット制御により４８０ｐ、７２０ｐ、１０８０ｉの映像フォーマットの映像信号をＨＤＭＩ端子部３１に出力する。
【００２５】
尚、映像フォーマットの設定に応じてビデオエンコーダ３４、スケーラ３６の出力も切り替わる。
【００２６】
３８はリモコン受光部であり、リモコン送信機２の赤外線を受信し、受信した前記各指令等の信号をコントローラ３５に出力する。３９は本体操作部であり、本実施形態においては、リモコン送信機２と共に前記操作手段を形成するため、リモコン送信機２のフォーマット設定キー２２と同じ機能を有するフォーマット設定キー３９１が設けら、操作キー信号をコントローラ３５に出力する。
【００２７】
そして、コントローラ３５は設定された制御プログラムを実行して本体装置３の全体を制御すると共に、設定された図２の出力フォーマット設定のプログラムを実行して本発明の出力フォーマット切り替え手段、出力フォーマット設定手段を形成する。
【００２８】
前記出力フォーマット切り替え手段は、コントローラ３５の内部のメモリ３５１に前記４８０ｐ、７２０ｐ、１０８０ｉの映像フォーマットの制御情報を保持し、フォーマット設定キー２２、３９１の操作によるフォーマット選択の指令に基づき、フォーマット設定キー２２、３９１の再度の操作によってフォーマット選択の終了が指令され、フォーマット選択が解除されるまで、出力する映像信号のフォーマットを各映像フォーマットに順に切り替える。
【００２９】
前記出力フォーマット設定手段は、フォーマット選択におけるフォーマット設定キー２２、３９１の再度の操作により出力フォーマット設定が指令されることによって選択中の映像フォーマットを、ＨＤＭＩ端子部３１から出力する映像信号のフォーマットに設定してその設定をメモリ３５１に書き換え自在に保持する。
【００３０】
（動作）
上記構成に基づいて図１のＤＶＤプレーヤ１は、コントローラ３５が出力フォーマット切り替え手段、出力フォーマット設定手段によって図２のステップＳ１〜Ｓ１３の出力フォーマット設定を実行する。
【００３１】
そして、ＤＶＤプレーヤ１の設置時等にユーザーによってフォーマット設定キー２２、３９１が操作されてフォーマット選択が指令されると、コントローラ３５は映像フォーマットの選択状態になってステップＳ１からステップＳ２に移行し、最初に、ＨＤＭＩ端子部３１から出力する映像信号のフォーマットを４８０ｐの映像フォーマットにし、４８０ｐのＨＤＭＩの映像信号を出力する。
【００３２】
更に、ステップＳ２からステップＳ３に移行してコントローラ３５は内部のタイマを起動し、設定されたフォーマット切替の規定時間のタイマーカウントを開始し、ステップＳ４、Ｓ５のループ処理によって前記規定時間の経過を検出する。
【００３３】
このとき、ＤＶＤプレーヤ１の映像フォーマットと映像表示装置４の映像フォーマットが合って映像表示装置４に４８０ｐの画像が適切に画面表示されると、ユーザーがフォーマット設定キー２２、３９１を再度操作することにより、出力フォーマットの設定及びフォーマット選択の終了が指令され、ＤＶＤプレーヤ１の映像フォーマットを４８０ｐのフォーマットに設定してステップＳ４を肯定定（ＹＥＳ）で通過し、出力フォーマット選択を終了する。
【００３４】
一方、映像表示装置４に映像が画面表示されなければ、前記規定時間の経過により、ステップＳ５からステップＳ６に移行し、映像フォーマットを７２０ｐのフォーマットに切り替え、ＨＤＭＩ端子部３１から７２０ｐのＨＤＭＩの映像信号を出力する。
【００３５】
更に、ステップＳ６からステップＳ７に移行してコントローラ３５は内部のタイマを再起動し、再び設定されたフォーマット切替の規定時間のタイマーカウントを開始し、ステップＳ８、Ｓ９のループ処理によって前記規定時間の経過を検出する。
【００３６】
このとき、ＤＶＤプレーヤ１の映像フォーマットと映像表示装置４の映像フォーマットが合って映像表示装置４に７２０ｐの画像が適切に画面表示されると、ユーザーがフォーマット設定キー２２、３９１を再度操作することにより、出力フォーマット設定及びフォーマット選択の終了が指令され、ＤＶＤプレーヤ１の映像フォーマットを７２０ｐのフォーマットに設定してステップＳ８を肯定（ＹＥＳ）で通過し、出力フォーマット選択を終了する。
【００３７】
一方、映像表示装置４に映像が画面表示されなければ、前記規定時間の経過により、ステップＳ９からステップＳ１０に移行し、映像フォーマットを１０８０ｉのフォーマットに切り替え、ＨＤＭＩ端子部３１から１０８０ｉのＨＤＭＩの映像信号を出力する。
【００３８】
更に、ステップＳ１０からステップＳ１１に移行してコントローラ３５は内部のタイマを再起動し、再び設定されたフォーマット切替の規定時間のタイマーカウントを開始し、ステップＳ１２、Ｓ１３のループ処理によって前記規定時間の経過を検出する。
【００３９】
このとき、ＤＶＤプレーヤ１の映像フォーマットと映像表示装置４の映像フォーマットが合って映像表示装置４に１０８０ｉの画像が適切に画面表示されると、ユーザーがフォーマット設定キー２２、３９１を再度操作することにより、出力フォーマット設定及びフォーマット選択の終了が指令され、ＤＶＤプレーヤ１の映像フォーマットを１０８０ｉのフォーマットに設定してステップＳ１２を肯定（ＹＥＳ）で通過し、出力フォーマット選択を終了する。
【００４０】
ところで、ＨＤＭＩ端子部３１から出力する映像信号を４８０ｐ、７２０ｐ、１０８ｉの映像フォーマットの信号に順に切り替えると、いずれかのフォーマットで映像が画面表示されるが、この画面表示が行なわれても、何らかの都合でユーザーがフォーマット設定キー２２、３９１の再度の操作を行なわないことがある。
【００４１】
このような場合は、ステップＳ１２、Ｓ１３のループ処理によって前記規定時間の経過を検出し、前記規定時間が経過したときに、ステップＳ１３からステップＳ２に戻って出力フォーマットの選択を継続し、ユーザーがフォーマット設定キー２２、３９１の再度の操作を行なって出力フォーマットの設定及びフォーマット選択の終了が指令されるまで、ＨＤＭＩ端子部３１から出力する映像信号を４８０ｐ、７２０ｐ、１０８ｉの映像フォーマットの信号に順に切り替えることをくり返す。
【００４２】
したがって、本実施形態の場合、簡単なキー操作でＤＶＤプレーヤ１のＨＤＭＩ端子部３１から出力する映像信号の映像フォーマットを自動的に接続先のシンク装置の映像フォーマットに合わせて映像の再生が行なえるようにすることができ、専門的な知識のない一般のユーザーが装置の故障と勘違いしたりすることもない。
【００４３】
そして、本発明は上記した実施形態に限定されるものではなく、その趣旨を逸脱しない範囲において上述したもの以外に種々の変形実施を行なうことが可能であり、上記ＤＶＤプレーヤ１が音声信号出力装置を形成する場合は、図１のコントローラ３５に、出力フォーマット選択の指令に基づき、出力フォーマット選択の終了が指令されて出力フォーマット選択が解除されるまでＨＤＭＩ端子部３１から出力する音声信号の音声フォーマットを、複数種類のフォーマットから順に選択したフォーマットに切り替える出力フォーマット切り替え手段と、出力フォーマット選択中の出力フォーマット設定の指令により選択中の音声フォーマットをＨＤＭＩ端子部３１から出力する音声信号の音声フォーマットに設定する出力フォーマット設定手段とを設け、ＭＰＥＧデコーダ３３の音声情報に基づき音声エンコーダ（図示せず）によって形成されてＨＤＭＩ端子部３１から出力される音声信号の音声フォーマットを図２と同様の処理によって設定すればよい。尚、音声フォーマットの設定の場合は、図２のステップＳ２、Ｓ８、Ｓ１０が選択された音声フォーマットの出力になる。
【００４４】
又、フォーマット設定キー２２、３９１を設ける代わりに、リモコン送信機２２や本体操作部３１０の所定の通常操作キーを、出力フォーマットの設定操作に兼用したり、例えば、リモコン送信機２に操作案内のディスプレイを設け、このディスプレイに操作選択のメニュー画面を表示し、このメニュー画面にフォーマット設定キー２２、３９１に相当する操作キーを表示し、この表示のクリック操作等により、画面からの選択でフォーマットの設定が行なえるようにしてもよい。
【００４５】
更に、ＤＶＤプレーヤ１の各部の構成は前記実施形態の構成に限られるものではない。
【００４６】
次に、出力端子部はＨＤＭＩ端子部３１のようなデジタルインタフェースの端子部に限られるものではなく、例えば、映像信号のＤ端子部等であっても本発明を同様に適用することができる。
【００４７】
そして、本発明は、種々の映像信号出力装置、音声信号出力装置に適用することができる。
【図面の簡単な説明】
【００４８】
【図１】本発明の映像信号出力装置の一例としてのＤＶＤプレーヤ１の構成を示すブロック図である。
【図２】同上、ＤＶＤプレーヤ１の映フォーマット設定の動作説明用のフローチャートである。
【符号の説明】
【００４９】
１    ＤＶＤプレーヤ
２    リモコン送信機
２２、３９１    フォーマット設定キー
３    本体装置
３１    ＨＤＭＩ端子部
３５      コントローラ
４    映像表示装置
【図１】
2008058369.tif 000003
【図２】
2008058369.tif 000004